(57)【要約】【課題】非接触電子タグは固有の呼出名のみを保有するので、その内部情報書き換えにおいては、固有の呼出名の取得が必要となり、かつ、固有の呼出名取得は確率的に失敗することもあり、さらに、内部情報の書き換えは個別に行わなければならないため、大量の非接触電子タグを取り扱おうとすると情報書き換えに要する時間が長大となる上、数量的な限界をも有していた。【解決手段】複数の非接触電子タグに共有する共通呼出名を与え、同時に複数の非接触電子タグに対する情報書き換えを可能とし、さらに、仮想アドレスの設定を加えることにより情報記憶領域の異なる非接触電子タグを同一環境下で使用することを可能とする。【選択図】      図１
2004192274.tif 000002
【特許請求の範囲】
【請求項１】
記憶領域および該記憶領域の書換手段を具備する非接触電子タグにおいて、他の非接触電子タグと共有する１つ以上の共通呼出名を有することを特徴とする非接触電子タグ。
【請求項２】
記憶領域および該記憶領域の書換手段を具備し、上記記憶領域には仮想アドレスに関する情報を有することを特徴とする非接触電子タグ。
【請求項３】
記憶領域および該記憶領域の書換手段を具備し、他の非接触電子タグと共有する一つ以上の共通呼出名および上記記憶領域に与えられた仮想アドレスに関する情報を有することを特徴とする非接触電子タグ。
【請求項４】
共通呼出名、仮想アドレスに関する情報、あるいは共通呼出名および仮想アドレスに関する情報が記憶領域に記憶されていることを特徴とする請求項１〜３の何れかに記載の非接触電子タグ。
【請求項５】
記憶領域の書換手段は、情報の書込手段、情報の書き込みの結果の確認手段、情報の回復手段とを有することを特徴とする請求項１〜３の何れかに記載の非接触電子タグ。
【請求項６】
記憶領域の書換手段は、一次記憶領域と制御器とを有し、制御器は一次記憶領域の情報を記憶領域に格納し、次に一次記憶領域の情報と記憶領域の情報とを比較し、一致しない場合には一次記憶領域の情報を記憶領域に再度格納する手順を有することを特徴とする請求項１〜３の何れかに記載の非接触電子タグ。
【請求項７】
記憶領域の書換手段は、２つの一次記憶領域と制御器とを有し、制御器は記憶領域の情報を第１の一次記憶領域に格納し、次に第１の一次領域の情報と記憶領域の情報を比較し、一致しなければ再度記憶領域の情報を第１の一次記憶領域に格納し、一致すれば第１の一次記憶領域と第２の一次記憶領域の情報により記憶領域の情報を書き換え、さらに第１の一次記憶領域と第２の一次記憶領域の情報と記憶領域の情報とを比較し、正しく書き換えられていなければ再度第１の一次記憶領域と第２の一次記憶領域の情報により記憶領域の情報を書き換える手順を経ることを特徴とする請求項１〜３の何れかに記載の非接触電子タグ。
【請求項８】
服飾衣料、靴、鞄、雑貨、宝飾品、スポーツ用品に取り付けられたことを特徴とする請求項１〜３の何れかに記載の非接触電子タグ。
【発明の詳細な説明】
【０００１】
【産業上の利用分野】
本発明は、服飾衣料、靴、鞄、雑貨、宝飾品、スポーツ用品等の非接触電子タグによる物品管理に関し、特に複数の製造卸元から提供された物品の販売店側における物品管理に関する。
【０００２】
服飾衣料、靴、鞄、雑貨、宝飾品、スポーツ用品等の流通、販売管理において非接触電子タグによる物品管理が従来より提案されている（特開２００１−２４９９７８号公報参照）。
【０００３】
これらの物品管理サービスに供される物品情報は、非接触電子タグに格納されているが、物品の在庫管理および流通管理においては、物品の製造卸元の物品管理体系に基づいた情報が格納され、かつ、物品の製造卸元は多くの場合、それぞれ異なる物品管理体系を有するので、製造卸元が異なる物品は、異なる管理体系に基づく情報を格納した非接触電子タグが添付されることになる。
【０００４】
一方、物品を製造卸元から購入し、一般消費者に販売する販売業者もまた固有の物品管理または販売管理体系を有しており、こちらも固有の物品管理体系に基づく情報が格納された非接触電子タグが必要となり、物品仕入れ時に物品に製造卸元が独自の物品管理のために取り付けた非接触電子タグが添付されているのであれば、その格納されている情報を書き換えることが必要になる。
【０００５】
また、服飾衣料、靴、鞄、雑貨、宝飾品、スポーツ用品等の識別情報は、物品番号、サイズ、色と極めて単純であり、さらに物品の識別番号等の共通化により製造卸元間、さらに小売販売業者を含め共通の情報を利用し得る環境もあるが、この場合においても非接触電子タグにおける情報記憶領域の物理的位置、すなわち、非接触電子タグ内部記憶領域における絶対アドレスの相違が障害となる。
【０００６】
本発明の非接触電子タグは、このような異なる管理体系または利用環境の間を移動する際に、効率的に情報の書き換えを行うか、または情報を提供しうる設定に変更する手段に関する。
【０００７】
【従来の技術】
図１３は、従来の非接触電子タグと、その動作環境を説明するための図である。
【０００８】
図１３に示す従来の非接触電子タグとその動作環境は、４つの非接触電子タグ１ａ〜１ｄと、非接触電子タグの書換装置２とを備え、非接触電子タグ１ａ〜１ｄは、それぞれ唯一固有の呼出名「１ａＩＤ」、「１ｂＩＤ」、「１ｃＩＤ」、「１ｄＩＤ」を有し、かつ、同時に書換装置２の通信圏内に存在している。
【０００９】
図１４は、図１３に示す動作環境における非接触電子タグの書換手順を示す図であり、書換えの手順と各手順における非接触電子タグ１ａ〜１ｄと書換装置２との間の通信情報を時系列的に示している。
【００１０】
図１４に示す非接触電子タグの書換手順においては、まず、書換装置２からハッシュ値が提供されるが（図１４「ハッシュ値指定１」）、通信情報としてはハッシュ値の提供であることを示す指示とハッシュ値自身を示す情報とにより構成され、この通信情報が書換装置２の通信圏内に存在する全ての非接触電子タグ１ａ〜１ｄに伝えられる。
【００１１】
次に、ハッシュ値指定の通信を受けた非接触電子タグ１ａ〜１ｄは、受信したハッシュ値と自己が有する呼出名等の固有情報とにより、自己の呼出名を応答する通信スロットを決定するが、この操作は不特定複数の非接触電子タグの応答を確率的に複数の通信スロットに分散させるために行われる。
【００１２】
従って、４つの非接触電子タグ１ａ〜１ｄより書換装置２に返される応答（図１４「タグ応答１」）は、ハッシュ値指定の通信に続く一定長の時間、すなわち一定複数の通信スロットに返送され、その一部は確率的に重複することも生じ、図１４に示す第１のタグ応答においては、１番目の通信スロットにおいて非接触電子タグ１ｂと１ｃとが競合し、すなわち、これら２つの非接触電子タグにおいてはその呼出名の伝達は失敗することを示している。
【００１３】
残る２つの非接触電子タグ１ａ、１ｄについては第３および第４の通信スロットが排他的に選択されたことにより、書換装置２はこれら２つの非接触電子タグ１ａ、１ｄの呼出名を取得することができる。
【００１４】
次に、呼出名を取得した非接触電子タグ１ａに対する情報の書き換えが行われるが、まず情報の読み出しが行われる。
【００１５】
これは書き換えるべき情報の量が、非接触電子タグの内部記憶領域の物理的な書換単位と一致しない場合、書き換えに失敗すると非接触電子タグの内部情報を破壊し、再生ができなくなるので、予め再生に必要となる情報を取得しておこうとするものである。
【００１６】
従って、書換装置２は、非接触電子タグ１ａに対して情報読み出しの指示と応答すべき非接触電子タグの呼出名「１ａＩＤ」とを送信し（図１４「情報読み出し１」）、情報の送信を指示し、非接触電子タグ１ａは、この指示に基づいて、この通信に引き続き情報を送信する（図１４「タグ１ａ応答１」）。
【００１７】
引き続き、書換装置２は、非接触電子タグ１ａが送信した情報を受信し、新たな書込情報を構成し（図１４「情報構成」）、これを情報書き込み指示に組み込んで送信する。
【００１８】
すなわち、書換装置２の送信信号は、情報書き込み指示に続き、対象となる非接触電子タグ１ａの呼出名「１ａＩＤ」と書換情報とにより構成され（図１４「情報書き込み」）、非接触電子タグ１ａはこれを受信して、内部情報を書き換える。
【００１９】
次に、書換装置２は、非接触電子タグ１ａの書き込み情報を読み出して（図１４「情報読み出し２」および「タグ１ａ応答２」）、これと自己が書き込むべき情報との照会を行い（図１４「情報確認」）、一致していれば非接触電子タグ１ａへ情報の書換動作を完了する。
【００２０】
さらに、書換装置２は、非接触電子タグ１ａへ情報の書換動作を完了するに当たり、非接触電子タグ１ａにスリープ指示、すなわち応答停止指示を与える（図１４「タグ１ａスリープ」）。
【００２１】
これは、一連の情報書換操作の冒頭にハッシュ値を与え、複数の非接触電子タグに応答すべき通信スロットを選択させたが、確率的にはその一部は重複し、応答に失敗するので、情報の書換操作が完了した非接触電子タグは無応答状態とし、次回のハッシュ値に対する応答において通信スロットの重複する確立を下げることを目的に行われる。
【００２２】
引き続き、同様の手順で書換装置２は、非接触電子タグ１ｄの情報書換操作を行うが（図１４「タグ１ｄ書き換え」）、その詳細は非接触電子タグ１ａに対する操作と同様であり、詳細な説明は省略する。
【００２３】
次に、書換装置２は、残る非接触電子タグの情報の書き換えに入るが、新たに呼出名を取得しなければならないので新たなハッシュ値を指定し、非接触電子タグの応答を指示する（図１４「ハッシュ値指定２」）。
【００２４】
図１４においては、２回目のハッシュ値指定に対し、残る２つの非接触電子タグ１ｃ、１ｂが異なる通信スロットを選択したことにより書換装置２に自己の呼出名を伝えることができ（図１４「タグ応答２」）、これに続いて、順次非接触電子タグ１ｃ、１ｂの情報の書き換えが行われるが（図１４「タグ１ｃ書き換え」および「タグ１ｂ書き換え」）、その動作は同様であるので詳細な説明は省略する。
【００２５】
【発明が解決しようとする課題】
以上で説明したように、従来の非接触電子タグにおいては、同一通信圏内に存在する複数の非接触電子タグに対して情報の書き換えを行う場合、非接触無線タグの書換装置は、非接触無線タグの個別呼出名を取得し、複数の非接触無線タグを順次に、個別に操作し、情報の書き換えを行わなくてはならないので、ハッシュ値指定による呼出名の取得が必要となり、さらに、複数の非接触電子タグが同一の通信スロットを選択した場合には呼出名の取得に失敗することも多く、複数回にわたって再試行せざるを得ない等、複雑な操作を繰り返さなければならないと言う欠点を有していた。
【００２６】
また、同時に呼出名を求める非接触電子タグの数量が増大すれば、複数の非接触電子タグが同一通信スロットを選択する確率が高まり、呼出名取得の失敗回数は指数関数的に増大し、遂に設定しうる全てのハッシュ値に対し、全ての通信スロットにおいて複数の非接触電子タグの応答が重複し、呼出名を全く取得できない状態に陥るという致命的な欠点が存在する。
【００２７】
さらに、個別に行われる非接触電子タグに対する情報の書き換えは、情報の読み出し、情報の構成、情報の書き込み、情報の読み出し、情報の確認と複雑な手順を経て行われるので、単一の非接触無線タグに対する書換操作においても複雑な操作と時間を要し、かつ、書換操作を行うべき非接触電子タグの数量が増大すれば、これに比例して書き換えに要する時間が伸びるという欠点を有している。
【００２８】
従って、製造卸元より大量に物品を仕入れる小売販売業者において、物品に添付された非接触電子タグの内部情報を書き換える際に、一度に大量に処理することができず、また、少量毎に処理する場合にも取り扱い数量に比例して処理時間を要することになる。
【００２９】
【課題を解決するための手段】
本発明による非接触電子タグは、記憶領域および該記憶領域の書換手段を具備し、他の非接触電子タグと共有する一つ以上の共通呼出名を有するものである。
【００３０】
本発明による非接触電子タグは、記憶領域および該記憶領域の書換手段を具備し、上記記憶領域に仮想アドレスに関する情報を有するものである。
【００３１】
本発明による非接触電子タグは、記憶領域および該記憶領域の書換手段を具備し、他の非接触電子タグと共有する一つ以上の共通呼出名および上記記憶領域に与えられた仮想アドレスに関する情報を有するものである。
【００３２】
【発明の実施の形態】
（第１の実施形態）
図１に示すように、実施形態の動作環境は、４つの非接触電子タグ１ａ〜１ｄと非接触電子タグの書換装置２を備え、非接触電子タグ１ａ〜、１ｄは共有する共通呼出名を有し、かつ、同時に書換装置２の通信圏内に存在している。
【００３３】
非接触電子タグ１ａ〜、１ｄには、図３のブロック図に示すように、書換装置２と交信する送受信回路８と、情報書換手段３と、記憶領域５とを具備し、情報書換手段３は、制御器４および一次記憶領域６とを備えている。
【００３４】
そして、送受信回路８と、情報書換手段３と、記憶領域５とは情報伝送路７により相互に接続されている。
【００３５】
このように構成された図３に示す第１の実施形態における記憶領域５の情報書換手順を、図２〜図７に基づいて説明する。
【００３６】
図４は、図３に示す制御器４が有する記憶領域５の書換手順を示す図であり、まず、記憶領域５の情報書き換えに先立って記憶すべき情報「記憶情報」が一次記憶領域６に格納される。
【００３７】
これは記憶領域６への情報書換操作が失敗した場合に情報再生を行うための処置であり、図４に示す手順によれば、次に一次記憶領域６の情報を記憶領域５に書き込み、さらにこれら両者を比較し、一致すれば書き換えを終了、一致しなければ一次記憶領域６に格納されている情報を用いて、再度書換操作を行うことになる。
【００３８】
多くの非接触電子タグは、書換装置２が供給する電力を電力源とするので、情報の書換動作中に非接触電子タグが移動して、書換装置２の通信圏外に出ると、書換動作の保証が失われるが、図３に示す実施形態の情報書換手段によれば安全な情報書き換えを遂行することが可能になる。
【００３９】
図２は、図１に示す動作環境において、書換装置２が通信圏内にある全ての非接触電子タグ１ａ〜１ｄの情報を書き換えるために発信する通信情報を示す図であり、書換装置２が情報の書き込みの指示と書き込みを行う非接触電子タグ１ａ〜１ｄの共通呼出名と書込情報を送信する状態を示している。
【００４０】
図２に示す情報の書込指示を受信した４つの非接触電子タグ１ａ〜１ｄは、同時に共通呼出名を認識し、同時に自己の保有情報を書き換えることが可能となり、極めて容易に複数の非接触電子タグの情報の書き換えを完了することができる。
【００４１】
図２に示す通信情報によれば、複数の非接触電子タグに提供される書込情報は、唯一共通であるが、特に、服飾衣料、靴、鞄、雑貨、宝飾品、スポーツ用品等の識別情報は物品番号、サイズ、色という基本情報であり、かつ、同一のデザインを有し、同一サイズ、同一色の物品が大量に取り扱われるので、同一情報を大量の非接触電子タグに書き込むことが必要であり、図１に示す実施形態による非接触電子タグが有効に働くことになる。
【００４２】
また、非接触電子タグ１ａ〜１ｄは、共有する共通呼出名の他に、従来の非接触電子タグと同様に固有の呼出名を持つことも可能であり、個別情報の読み出し、書き込みは従来通りに実施し得ることは言うまでもない。
【００４３】
このように、非接触電子タグの記憶領域に共通呼出名を記憶させ、この共通呼出名を書き換えれば複数の非接触電子タグに対し、個別に、またはグループ毎に新たな共通呼出名を設定すること、すなわち、新たなグループの編成を設定することが可能になる。
【００４４】
図５に記憶領域の構成を示すように、他の非接触電子タグと共有する共通呼出名「グループ１」と複数の記憶領域を備えており、その第１の領域は仮想アドレスの記憶領域であり、第２の領域は物品情報の記憶領域であり、製造卸元では第２の領域の情報を用いて物品管理を行い、かつ、使用する物品情報は物品の基本情報または物品の代表識別番号等の共通化情報である。
【００４５】
このように構成された第１の実施形態において、物品の購入者がこの記憶情報の使用を希望する場合、物品の購入者の保有する管理体系が、第２の領域を物品情報の記憶領域として認識するとは限らず、仮に、第２の領域を物品情報の記憶領域と認識する場合においても、異なる製造卸元が異なる領域を物品情報の記憶領域としていると両者を同時に取り扱うことはできない。
【００４６】
そこで、本発明においては、購入物品の物品管理に先立って、仮想アドレスを設定する。
【００４７】
図６は、書換装置が書換対象とする非接触電子タグに対して仮想アドレスを設定するために送信する情報書込指示の構成を示しており、この情報書込指示は、第１の領域すなわち仮想アドレスの設定領域へ情報の書き込みを指示し、対象となる非接触電子タグの共通呼出名「グループ１」と、書込情報として物品情報の記憶領域である「第２の領域」により構成されている。
【００４８】
図７は、図６に示す情報書換指示を受信した後の記憶領域５の構成を示す図であり、第１の領域には仮想アドレスの設定情報として、第２の領域に物品情報が記憶されていることが格納されており、第２の領域には物品情報が記憶されている。
【００４９】
図７に示す記憶領域の構成を有するこの実施形態においては、物品の購入者が保有する管理体系により物品情報を求められると、第１の領域に記憶されている仮想アドレス情報を基に第２の領域に記載される物品情報を提供することが可能になる。
【００５０】
（第２の実施形態）
図８は、異なる製造卸元が提供する共通呼出名として「グループ２」を保有する実施形態の記憶領域の構成を示す図であり、第３の領域に物品情報が記憶されている。
【００５１】
図９は、図８に示す実施形態において送信される情報の書込指示であり、図１０は、図９の指示を受信した後の呼出名「グループ２」を有する記憶領域の構成を示す図であって、その書換指示による動作は重複するので省略するが、「グループ２」の共通呼出名を有する点で相違している。
【００５２】
すなわち、第２の製造卸元が提供する非接触電子タグは、物品の購入者が保有する管理体系により物品情報を求められると、第１の領域に記憶される仮想アドレス情報を基に第３の領域に記憶される物品情報を提供することが可能となり、図７に示す記憶領域の構造を有する第１の製造卸元の提供する第２の実施形態と同様に、物品の購入者の保有する管理体系の中で物品情報を提供することが可能となる。
【００５３】
図５または図８に示す記憶領域の構造を有する非接触電子タグは、互いに異なる共通呼出名を持つので、同一の書換装置の通信圏内に同時に置かれても上述の動作に支障は無く、すなわち、本発明によれば複数の製造卸元から仕入れた商品を同時に非接触無線タグ書換装置の通信圏内に置き、図６または図９等に示される情報書換指示を交互に発信することにより、無作為に仮想アドレスの設定を行い、新たな物品管理体系に適合し得る非接触電子タグの設定に変更することが可能となる。
【００５４】
（第３の実施形態）
図１１は、本発明による第３の実施形態を示すブロック図であり、送受信回路８と、情報書換手段３と、記憶領域５とを具備し、情報書換手段３は、制御器４および２つの一次記憶領域６ａ、６ｂとを備えている。、送受信回路８、情報書換手段３、記憶領域５は、情報伝送路７により相互に接続されている。
【００５５】
図１２は、図１１に示す制御器４が備えて記憶領域５の書換手順を示す図であり、この手順によれば、まず、記憶情報は一次記憶領域６ａに記憶され、次に記憶領域情報が一次記憶領域６ｂに格納され、続いて一次記憶領域６ｂと記憶領域情報とが比較され、異なっていれば再度記憶領域情報の一次記憶領域６ｂへの複写が行われる。
【００５６】
これは書き換え前の記憶領域情報の格納を確実に行うためにとられる処置であり、確実に書換前の記憶領域情報が一次記憶装置６ｂに保存されたことが確認されると、一次記憶領域６ａと記憶領域６ｂとの情報を合成して新たな情報が記憶領域５に書き込まれる。
【００５７】
記憶領域の物理的書換単位が記載情報の量と一致しない場合、実際の書換情報を記憶領域の物理的書換単位に揃えることが必要であるので、このような情報の合成処置が取られ、次に、一次記憶領域６ａ、６ｂの合成情報と記憶領域５に記憶した情報との一致を確認し、書換動作を終了する。
【００５８】
一次記憶領域６ａ、６ｂの合成情報と記憶領域５の記憶情報との一致が得られなければ再度一次記憶領域６ａ、６ｂの情報を合成して記憶領域５に書き込むことにより確実に記憶情報が記憶領域５に書き込まれ、かつ、記憶情報を含む記憶領域５の物理的書換単位に渡って記憶情報の保全を得ることになる。
【００５９】
このような処置が必要となるのは図３に示す実施形態の説明において既に述べたように、非接触電子タグ動作は正常な動作遂行の保証が低いことに由来する。
【００６０】
【発明の効果】
以上で説明したように、本発明の非接触電子タグによると、第１に、複数の非接触電子タグに相互に共有する共通呼出名を付与することにより、大量の非接触電子タグに対して一括同時に情報の書き換えを可能にし、同時に書き換える非接触電子タグの数量に拘わらず、短時間に効率的な情報の書き換えを行うことが可能となる。
【００６１】
第２に、共有する共通呼出名を記憶領域に設けることにより、一括同時に情報書き換え処理をなし得る非接触電子タグの組み合わせを、効率的に構成、再編成することが可能となる。
【００６２】
第３に、非接触電子タグに仮想アドレスに関する情報を持たせることにより、同一属性の情報を異なる記憶領域に持つ複数の非接触電子タグを同一環境で共通に扱うことが可能となる。
【００６３】
第４に、仮想アドレスに関する情報を記憶領域に設けることにより、仮想アドレスに関する情報の書き込みにおいて、共有する共通呼出名を用いることにより、異なる環境に移行する非接触電子タグの動作設定を一括同時に処理することが可能となる。
【００６４】
第５に、情報の書換手段に一次記憶領域を設けることにより、安全な非接触電子タグ記憶情報の書き換えを提供できる。
【００６５】
第６に、情報の書換手段に２つの一次記憶領域を設けることにより、記憶領域の物理的書換単位と書換情報の量が異なる場合においても安全な非接触電子タグ記憶情報の書き換えを提供できる。
【図面の簡単な説明】
【図１】本発明の第１の実施形態による非接触電子タグとその動作環境を示す図、
【図２】図１に示す実施形態とその動作環境において送信される情報書込指示の構成を示す図、
【図３】本発明の第１の実施形態における非接触電子タグの記憶領域を書き換える書換手段の構成を示す図、
【図４】図３に示す実施形態における制御器が行う記憶領域の書換手順を示す図、
【図５】本発明の第１の実施形態における記憶領域の構成を示す図、
【図６】第１の実施形態において送信される情報書込指示の構成を示す図、
【図７】図６に示す情報書込指示を受信した後の第１の実施形態における記憶領域の構成を示す図、
【図８】本発明の第２の実施形態における記憶領域の構成を示す図、
【図９】第２の実施形態において送信される情報書込指示の構成を示す図、
【図１０】図９の情報書き込み指示を受信した後の第２の実施形態における記憶領域の構成を示す図、
【図１１】本発明の第３の実施形態における記憶領域の書換手段の構成を示す図、
【図１２】第３の実施形態における制御器が行う記憶領域の書換手順を示す図、
【図１３】従来の非接触電子タグとその動作環境を示す図、
【図１４】図１３に示す従来の非接触電子タグとその動作環境における非接触電子タグ記憶領域の書換手順を示す図である。
【符号の説明】
１ａ〜１ｄ  非接触電子タグ
２  非接触電子タグの書換装置
３  記憶領域の書換手段
４  制御器
５  記憶領域
６、６ａ、６ｂ  一次記憶領域
７  情報伝送路
８  送受信回路
【図１】
2004192274.tif 000003
【図２】
2004192274.tif 000004
【図３】
2004192274.tif 000005
【図４】
2004192274.tif 000006
【図５】
2004192274.tif 000007
【図６】
2004192274.tif 000008
【図７】
2004192274.tif 000009
【図８】
2004192274.tif 000010
【図９】
2004192274.tif 000011
【図１０】
2004192274.tif 000012
【図１１】
2004192274.tif 000013
【図１２】
2004192274.tif 000014
【図１３】
2004192274.tif 000015
【図１４】
2004192274.tif 000016